(57)【特許請求の範囲】
【請求項１】
先端部に歯牙に着脱自在に装着されるフックを有し、他端に円板を一体的に有する駆動軸と、該駆動軸を軸方向に移動自在にかつ回転自在に保持する本体と、前記駆動軸の軸まわりに巻回されかつ一端が前記円板に固定され、他端が前記本体に固定されたスプリングばねと、前記本体に一体的に取り付けられかつ前記駆動軸の軸方向に移動可能なトリガー部材と、該トリガー部材と前記円板の外周面との間に張設された第１の操作ワイヤーと、前記本体にピン軸を介して回動自在に取り付けられたグリップハンドルと、該グリップハンドルと前記円板の前記スプリングばねに面した側の表面との間に張設された第２の操作ワイヤーと、本体に一体的に取り付けられ、前記円板の裏側の面に当接する測定杆を有するダイヤルゲージとより成り、前記トリガー部材を操作して前記駆動軸を一方の移動終端まで移動し、前記グリップハンドルを操作して前記駆動軸を他方の移動終端まで移動し、両終端間の移動量を前記ダイヤルゲージにて読み取るようにしたことを特徴とする歯牙の動揺度測定装置。
【発明の詳細な説明】
【０００１】
【発明の属する技術分野】
本発明は、歯牙の動揺度測定装置、より詳細には、全ての動作を機械的な動作にして、換言すれば、電気を全く使用することなく動作するように歯牙の動揺度側定装置を構成して、ペースメーカ等が装着された患者に対しても使用可能にしたものである。
【０００２】
【従来の技術】
歯科治療において、歯牙の動揺度の測定は、歯の健康状態、或いは、歯周病を推定する上で不可決なものである。この歯牙の動揺度を測定する方法としては、例えば、歯牙に衝撃を与え、その時の歯牙の振動加速度を測定する方法があり、これらに関連して種々の提案がなされている。しかしながら、上記従来の歯牙の動揺度測定装置は、歯牙に衝撃を与えるため、患者に不快感を与えてしまうという問題がある。また、従来の歯牙の動揺度測定装置は、歯牙に衝撃を与えるために、或いは、振動加速度を測定するために電気を使用しており、そのため、ペースメーカを装着している患者に対して使用することができなかった。
【０００３】
【発明が解決しようとする課題】
本発明は、上述のごとき実情に鑑みてなされたもので、特に、歯牙の動揺度を電気を使用することなく、全てを機械的な動作にして、しかも、歯牙に衝撃等を与えることなく測定し得るようにし、もって、ペースメーカを装着した患者に対しても使用し得るようにするとともに、通常の患者に対しても不快感を与えることなく測定し得るようにしたものである。
【０００４】
【課題を解決するための手段】
本発明は、先端部に歯牙に着脱自在に装着されるフックを有し、他端に円板を一体的に有する駆動軸と、該駆動軸を軸方向に移動自在にかつ回転自在に保持する本体と、前記駆動軸の軸まわりに巻回されかつ一端が前記円板に固定され、他端が前記本体に固定されたスプリングばねと、前記本体に一体的に取り付けられかつ前記駆動軸の軸方向に移動可能なトリガー部材と、該トリガー部材と前記円板の外周面との間に張設された第１の操作ワイヤーと、前記本体にピン軸を介して回動自在に取り付けられたグリップハンドルと、該グリップハンドルと前記円板の前記スプリングばねに面した側の表面との間に張設された第２の操作ワイヤーと、本体に一体的に取り付けられ、前記円板の裏側の面に当接する測定杆を有するダイヤルゲージとより成り、前記トリガー部材を操作して前記駆動軸を一方の移動終端まで移動し、前記グリップハンドルを操作して前記駆動軸を他方の移動終端まで移動し、両終端間の移動量を前記ダイヤルゲージにて読み取るようにしたことを特徴とし、もって、患者に衝撃等の不快感を与えることなく、しかもペースメーカを装着した患者に対しても使用し得るようにしたものである。
【０００５】
【発明の実施の形態】
図１は、本発明による歯牙動揺度測定装置の一実施例の概要を説明するための要部外観図で、図中、１は動揺度が測定される歯牙、１０は本発明による歯牙動揺度測定装置を示し、該歯牙動揺度測定装置１０は、前記歯牙１に着脱自在に装着されるフック部１１と、該フック部１１を先端に一体的に又は着脱自在に有し、該フック部１１を矢印Ａ１，Ａ２方向に移動させる駆動軸１２と、該駆動軸１２を軸方向のいずれか一方の方向（例えばＡ１の方向）へ移動させるためのトリガー（指掛け）部材１３と、該駆動軸１２を軸方向の前記方向と逆の方向（例えばＡ２方向）へ移動させるためのグリップハンドル１４と、前記駆動軸１２の矢印Ａ１，Ａ２方向の総移動量を計測表示するダイヤルゲージ１５等よりなっている。
【０００６】
上述のように、本発明による歯牙動揺度測定装置１０は、フック部１１を歯牙１に装着するとともに、トリガー部材１３に指を引っ掛けて矢印Ｂ１方向に引くと、駆動軸１２が矢印Ａ１方向に移動し、歯牙１の揺動が停止した位置（歯牙１１の位置）で停止し、それまでの移動量がダイヤルゲージ１５に表示される。次いで、グリップハンドル１４を矢印Ｂ２方向に押すと、駆動軸１２が逆方向（矢印Ａ２方向）に移動し、歯牙１の揺動が停止した位置（歯牙１２の位置）で停止し、それまでの移動量がダイヤルゲージ１５に表示される。ダイヤルゲージ１５は±両方向に表示可能であり、例えば、駆動軸１２が矢印Ａ１方向に移動する時は右回りに回転し、矢印Ａ２方向に移動する時は左回りに回転し、前述のように、駆動軸１２をＡ１方向に移動し、次いで、Ａ２方向に移動すると、Ａ１方向に移動した時の右回りの停止位置と、Ａ２方向に移動した時の左回りの停止位置との間の間隔をもって、歯牙の動揺度Ｌとすることができる。
【０００７】
図２は、図１に示した歯牙動揺度測定装置１０の内部構造を説明するための断面図で、図中、１６，１７は駆動軸１２を軸方向に移動可能にかつ回転可能に支持するベアリング、１８は該駆動軸１２の端部側に固定された回転板（円板）、１９は該駆動軸１２が挿通され、一端が前記回転板１８に固定され、他端が歯牙動揺度測定装置本体１０に固定されたスプリングばね、２０，２１は歯牙動揺度測定装置本体に回転可能に取り付けられたコロ、２２はトリガー部材１３を矢印Ｂ１，Ｂ２方向に安定して移動させるための案内ロッド、２３は一端が回転板１８の周側面に固定され、他端が前記コロ２０を介して前記トリガー部材１３に固定された第１のワイヤー部材、２４は一端が前記回転板の前面（スプリングばね１９が配設されている側の面）に固定され、他端が前記コロ２０，２１を介して前記グリップハンドル１４に固定された第２のワイヤー部材、２５はグリップハンドル１４を回動自在に支持するピンで、その他、図１に示した部材と同様の作用をする部分には図１の場合と同一の参照番号が付してある。
【０００８】
前述のように、トリガー部材１３を矢印Ｂ１方向に引くと、回転板１８が回動して駆動軸１２の矢印Ａ１方向への移動を許容し、スプリングばね１９の伸張力によって駆動軸１２を矢印Ａ１方向に移動し、その時の移動量を測定杆１５ａを介してダイヤルゲージ１５に伝達し、駆動軸１２の移動が歯牙１によって停止されるまでの移動量を例えば＋値として表示する。次いで、グリップハンドル１４をピン軸２５を中心に矢印Ｃ２方向に回動すると、駆動軸１２は第２のワイヤー部材２４によって引かれてスプリングばね１９に抗して矢印Ａ２方向に移動し、歯牙１によって停止されるまで移動する。その際、ダイヤルゲージは前記（駆動軸１２を矢印Ａ１方向に移動した時）とは逆の方向に回転し、駆動軸１２の移動が停止した位置を例えば−値として表示する。従って、これら表示値の差をとると、歯牙１の動揺量を測定することができる。
【０００９】
図３は、前トリガー部材１３，回転板１８，スプリングばね１９，第１のワイヤー部材２３、及び、ダイヤルゲージ１５の関係を説明するための分解斜視図で、図中、１０ａは歯牙動揺度測定装置本体に設けられたストッパ部材で、回転板１８（従って、駆動軸１２）は該ストッパ部材１０ａによって矢印Ａ１方向への移動が阻止されている。回転板１８のストッパ部材１０ａと接している側の面は回転方向に傾斜した傾斜面１８ａに形成されており、従って、トリガー部材１３を矢印Ｂ１方向に移動すると、該回転板１８が矢印Ｄ１方向に回転し、ストッパ部材１０ａとの間に隙間ができるが、この隙間は、スプリングばね１９によって駆動軸１２が矢印Ａ１方向に押されることによって生じない。つまり、回転板１８の回転量に比例して駆動軸１２が矢印Ａ１方向に移動し、その移動量が測定杆１５ａを通してダイヤルゲージ１５に伝達される。駆動軸１２の矢印Ａ１方向の移動は、歯牙１によって停止され、それ以降は、トリガー部材１３を引いて回転板１８を回転しても、ダイヤルゲージ１５は駆動軸１２の停止位置（移動量）を表示している。
【００１０】
図４は、前記グリップハンドル１４，回転板１８，スプリングばね１９，第２のワイヤー部材２４、及び、ダイヤルゲージ１５の関係を説明するための分解斜視図で、図示のように、回転板１８の表面（スプリングばね１９側）には円環状の溝１８ｂが設けられ、第２のワイヤー部材２４の一端は該溝１８ｂ内を移動可能に固定されており、従って、前述のようにして回転板１８が回動されても、第２のワイヤー部材２４の、回転板１８とグリップハンドル１４の固定位置関係が変化しないようになっている。
【００１１】
上述のようにして、駆動軸１２を矢印Ａ１方向に移動して歯牙１の一方の揺動停止位置を測定した後に、トリガー部材１３から指を離すと、該トリガー部材１３はスプリングばね１９の回転方向の戻り力によって矢印Ｄ２方向に戻される。その後、グリップハンドル１４を矢印Ｃ２方向に回動すると、回転板１８（従って、駆動軸１２）が矢印Ａ２方向に押され、かつ、その際、該駆動軸１２が歯牙１によって停止されるまでグリップハンドル１４を押すと、その位置が歯牙１の他の揺動停止位置となる。この時の駆動軸１２の移動は、ダイヤルゲージ１５の逆方向の回転として表示され、従って、駆動軸１２を矢印Ａ１方向に移動した時の該ダイヤルゲージ１５の表示値と、矢印Ａ２方向に移動した時のダイヤルゲージ１５の表示値の差をとれば、歯牙１の動揺量を測定することができる。
【００１２】
なお、図２において、３０は歯牙動揺度測定時、歯牙動揺度測定装置１０を安定して保持するための安定保持用のバーで、該安定用バー３０は歯牙動揺度測定装置本体１０に対して取り付け取り外し可能になっており、歯牙動揺度測定時、図示のように、歯牙動揺度測定装置１０に装着し、その先端部を患者の口腔内に挿入し、歯顎等に当てると、歯牙動揺度測定装置本体１０を安定して固定することができる。
【００１３】
【発明の効果】
以上の説明から明らかなように、本発明によると、電気エネルギー或いは電気信号を一切使用していないので、ペースメーカを装着した患者に対しても安心して使用することができる。また、衝撃等を加えることなく測定できるので、通常の患者に対しても不快感を与えることなく測定することができる。
【図面の簡単な説明】
【図１】本発明による歯牙動揺度測定装置の全体構造の一例を示す概略外観図である。
【図２】本発明による歯牙動揺度測定装置の内部構造を説明するための断面図である。
【図３】本発明による歯牙動揺度測定装置の動作説明するための要部配列図である。
【図４】本発明による歯牙動揺度測定装置の動作説明するための他の要部配列図である。
【符号の説明】
１…歯牙、１０…歯牙動揺度測定装置、１１…フック部材、１２…駆動軸、１３…トリガー部材、１４…グリップハンドル、１５…タイヤルゲージ、１６，１７…ベアリング、１８…回転板、１９…スプリングばね、２０，２１…コロ、２２…トリガー部材案内ロッド、２３，２４…ワイヤー部材、２５…ピン軸。
【図１】
0003552894.tif 000002
【図２】
0003552894.tif 000003
【図３】
0003552894.tif 000004
【図４】
0003552894.tif 000005